(57)【要約】一対の回転可能ブレードを有する、消費者電子機器デバイス用充電デバイスであって、ブレードは、ブレードの端部が、標準的壁コンセントに挿入される、展開位置から、ブレードの端部が、相互から拡開され、充電器に対して平坦になり、充電器の全体的厚さを減少させる、格納位置に回転可能である、デバイス。本発明の最も重要な利点は、充電器自体の全体的厚さの減少である。具体的には、差込式ブレードは、平行配向（すなわち、標準的壁コンセントに挿入される状態）から、代わりに、同一の平面に位置付けられる、平坦配向に回転される。
2014533482.tif 000002
【特許請求の範囲】
【請求項１】
充電デバイスであって、
（ａ）筐体と、
（ｂ）前記筐体内に配置されるプラグユニットであって、
（ｉ）一対の回転可能ブレードであって、前記ブレードの端部が、壁コンセント内に受容されるように位置付けられる、展開位置から、前記ブレードの端部が、相互から拡開される、格納位置に回転可能である、ブレードと、
（ｉｉ）前記格納位置から前記展開位置に前記ブレードを回転させるための機構と
を有する、プラグユニットと、
（ｃ）前記プラグユニットのブレードをバッテリに接続する、前記筐体内の電気回路と
を含む、デバイス。
【請求項２】
前記ブレードは、前記展開位置にあるとき、平行平面に配置される、請求項１に記載の充電デバイス。
【請求項３】
前記ブレードは、平行軸を中心として、その展開位置へと反対方向に回転する、請求項１に記載の充電デバイス。
【請求項４】
前記ブレードは、一方のブレードの手動回転によって、他方のブレードを回転させるように、ともに連動される、請求項１に記載の充電デバイス。
【請求項５】
前記ブレードはそれぞれ、その格納位置からその展開位置に、その全可動範囲全体を通して、回転するように付勢される、請求項１に記載の充電デバイス。
【請求項６】
前記ブレードは、前記格納位置にあるとき、同一の平面に配置される、請求項１に記載の充電デバイス。
【請求項７】
前記ブレードは、その展開位置からその格納位置に移動されると、相互から離れるように折畳される、請求項１に記載の充電デバイス。
【請求項８】
前記バッテリは、前記筐体内に配置される、請求項１に記載の充電デバイス。
【請求項９】
前記充電デバイスは、スマートフォンバッテリを充電する、請求項１に記載の充電デバイス。
【請求項１０】
前記スマートフォンは、ｉＰｈｏｎｅ（登録商標）である、請求項９に記載の充電デバイス。
【請求項１１】
前記充電デバイスは、消費者電子機器デバイスを充電する、請求項１に記載の充電デバイス。
【請求項１２】
前記回転可能ブレードのそれぞれの基部は、バネ付勢された回転可能部材上に搭載される、請求項１に記載の充電デバイス。
【請求項１３】
前記筐体は、前記スマートフォンに取着される、請求項１に記載の充電デバイス。
【請求項１４】
前記筐体は、前記スマートフォンの背面に取着される、請求項１３に記載の充電デバイス。
【請求項１５】
前記筐体は、前記スマートフォンの底面に取着される、請求項１３に記載の充電デバイス。
【請求項１６】
前記ブレードを前記展開位置に押勢する、バネ付勢システムをさらに含む、請求項１に記載の充電デバイス。
【請求項１７】
前記ブレードを前記格納位置に保持するための拘束機構をさらに含み、前記拘束機構を解放させることで、前記ブレードをその展開位置に跳開させる、請求項１６に記載の充電デバイス。
【請求項１８】
前記ブレードは、前記格納位置から前記展開位置に手動で回転される、請求項１に記載の充電デバイス。
【請求項１９】
各ブレードのための付勢バネと、
そこから各ブレードが延在する、ローラと、
前記ローラの側面上のスロットと、
前記ローラの側面上のスロット内に受容される前方突起を有する、可動スイッチと、
前方突起が、前記ローラの側面上のスロット内に位置付けられたままであるように、前記可動スイッチを前進させ、それによって、前記ブレードが、その格納位置から回転することを防止するが、前記可動スイッチを前記ブレードから離れるように手動で摺動させることで、前記前方突起を前記ローラの側面上のスロットから滑出させ、それによって、前記ローラを解放し、付勢バネに前記ブレードをその展開位置に回転させる、付勢バネと
を含む、前記ブレードをその格納位置に保持するための掛止機構をさらに含む、請求項１に記載の充電デバイス。
【請求項２０】
スマートフォンのための充電システムであって、
（ａ）スマートフォンであって、
（ｉ）内部バッテリと、
（ｉｉ）外部電力を受電し、前記電力を前記内部バッテリに伝送するように構成される、電力コネクタと
を有する、スマートフォンと、
（ｂ）充電デバイスであって、
（ｉ）筐体と、
（ｉｉ）前記筐体内に配置されるプラグユニットであって、
（ａ）一対の回転可能ブレードであって、前記ブレードの端部が、壁コンセント内に受容されるように定寸される、展開位置から、前記ブレードの端部が、相互から拡開される、格納位置に回転可能である、ブレードと、
（ｂ）前記格納位置から前記展開位置に前記ブレードを回転させるための機構と
を有する、プラグユニットと、
（ｉｉｉ）前記プラグユニットのブレードに接続される、前記筐体内の電気回路と
を含む、充電デバイスと
を含み、
前記スマートフォンは、電力が、前記対のブレードから、前記筐体内の電気回路を通して、前記スマートフォン内の電力コネクタおよび前記スマートフォンの内部バッテリに伝送され得るように、前記充電デバイスに差し込まれる、システム。
【請求項２１】
前記充電デバイスは、前記スマートフォンの電力コネクタに差し込まれる、請求項２０に記載の充電システム。
【請求項２２】
前記電力コネクタは、３０ピンコネクタである、請求項２１に記載の充電システム。
【発明の詳細な説明】
【技術分野】
【０００１】
本発明は、２０１２年１０月２日に出願され、“Ｓｍａｒｔ  Ｐｈｏｎｅ  ａｎｄ／ｏｒ  Ｃｏｎｓｕｍｅｒ  Ｅｌｅｃｔｒｏｎｉｃｓ  Ｄｅｖｉｃｅ  Ｃｈａｒｇｅｒ  Ｓｙｓｔｅｍ”と題された、米国特許出願第１３／６３３，６００号に対する優先権を主張するものであり、該米国特許出願は、２０１２年２月２９日に出願され、同じ発明の名称を有する、米国仮特許出願第６１／６０５，１１８号に対する優先権を主張するものであり、また、２０１１年１０月６日に出願され、“Ｓｍａｒｔ  Ｐｈｏｎｅ  Ｃｈａｒｇｅｒ  Ｓｙｓｔｅｍ”と題された、米国仮特許出願第６１／５４４，１９４号に対する優先権を主張するものである。これらの出願の全ては、その全体が参照により本明細書中に援用される。
【０００２】
本発明は、スマートフォン（ｉＰｈｏｎｅ（登録商標）、ｉＰａｄ（登録商標）等を含む）等の電子デバイスのための充電器に関し、また、他の消費者電子機器デバイスのための充電器にも関する。
【背景技術】
【０００３】
人々は、そのスマートフォンにますます依拠しつつあり、これらのデバイスは、１日のますます多くの時間の間、使用されつつある。残念ながら、スマートフォンは、「バッテリを喰う」傾向にあり、有意な量のエネルギーを消費する。多くの点において、これらのデバイスに対する最大の制限は、その（比較的に短い）バッテリ寿命である。これらは全て、典型的には、毎日充電を要求する。
【０００４】
多数の充電デバイスが、電話およびスマートフォンのために既に存在している。典型的には、これらの充電デバイスは、標準的差込式壁コードおよび／またはコンピュータＵＳＢポートに差し込む、電力コードを含む。多くのユーザは、これらの長い充電ケーブルに依拠することを便利であるとは考えていない。これらを携行することは不便であって、また、日々の終わりに充電するために、常時、スマートフォンを同一の場所に戻す必要があるのも不便である。したがって、市場における他の解決策として、直接、電話に取り付ける、またはケーブル内の短いプラグによって、電話に接続される、バッテリパックが挙げられる。これらのデバイスに関する主要な問題は、その追加された容量および重量である。
【０００５】
消費者電子機器製品のための充電デバイスの実施例は、特許文献１に見出される。本デバイスは、充電コードの端部における、単純な折畳式プラグである。プラグは、一方を他方の上部に折畳する、一対のプラグブレードを有する。ブレードは、展開されるにつれて、同一の方向に回転する。本ブレード折畳配列は、残念ながら、その中に両ブレードが折畳される（一方が、他方の上部に着座する）、深度を要求する。加えて、本溝は、ユーザが、その指を挿入し、ブレードの一方を上向きに引っ張り、それによって、両ブレードを定位置に回転させなければならないように、デバイスの側面に完全に延在する。本システムの主要な不利点は、２つのブレードの一方が他方の上部に折畳されることである。これは、その中に、両ブレードが折畳されなければならない、深さのあるチャネル／溝を要求する。本システムの別の不利点は、本チャネル／溝が、デバイスの側面から完全に延出しなければならないことである。加えて、ブレードの一方は、そのようなユーザの指が、それを把持し得るように、その先端が、デバイスの側面のチャネル／溝の端部近傍に位置付けられなければならない。その結果、２つのブレードの位置は、事実上、デバイスの側面に対して固定される。
【０００６】
代わりに、第’６５３号特許の折畳式プラグブレードの制限を克服することが望ましいであろう。例えば、その中に、２つのブレードの一方が、相互の上部に折畳される、深さのあるチャネルを要求することなく、収納され得る、プログを提供することが望ましいであろう。また、ユーザが、それらを展開するために、ブレードの一方の端部を把持する必要がない、システムを提供することが望ましいであろう。代わりに、ブレードが、ユーザのコマンド下、ボタンのプッシュ時、自動的に展開する、システムを提供することが望ましいであろう。また、ブレードが、所望に応じて、充電されているデバイスの背面の中心に位置し得る、システムを提供することが望ましいであろう。最後に、例えば、ｉＰｈｏｎｅ（登録商標）または他のスマートフォンを充電するとき、充電コード自体を完全に回避することが望ましいであろう。
【０００７】
特に、スマートフォンを充電するとき、代わりに所望されるのは、標準的壁電力ＡＣコンセントを使用するが、また、大型で嵩張る余剰バッテリパックの使用を回避する、システムである。また、そのようなシステムは、充電器から充電されているデバイスに延設される、長い電力ケーブルの使用を完全に回避することが望ましい。
【先行技術文献】
【特許文献】
【０００８】
【特許文献１】米国特許第７，９３８，６５３号明細書
【発明の概要】
【課題を解決するための手段】
【０００９】
本発明は、一対の回転可能ブレードまたはピンを有する、充電デバイスを提供する。ブレードは、ブレードの端部が、標準的ＡＣ壁コンセントに挿入される、展開位置から、ブレードの端部が、相互から拡開され、充電器に対して平坦にされ、充電器の全体的厚さを減少させる格納位置に回転可能である。
【００１０】
本発明の最も重要な利点は、充電器自体の全体的厚さの減少である。具体的には、差込式ブレードは、平行配向（すなわち、標準的壁コンセントに挿入される状態）から、代わりに、同一の平面に位置付けられる、平坦配向に回転される。
【００１１】
種々の実施形態では、本回転可能プラグ充電器は、スマートフォンの本体内（または、上）に内蔵される。代替として、スマートフォンの背面または底面に接続される、別個のデバイスであってもよい。しかしながら、示されるように、本折畳式ブレード充電デバイスはまた、他の好適な消費者電子機器デバイス（例えば、バッテリ再充電器、電動歯ブラシ、シェーバー等）と併用されることができる。さらなる実施形態では、短いケーブルによって、スマートフォンに取着される、別個のデバイスであってもよい。
【図面の簡単な説明】
【００１２】
【図１Ａ】図１Ａは、格納位置における、本発明の第１の実施形態の底面斜視図である。
【図１Ｂ】図１Ｂは、展開位置における、本発明の第１の実施形態の底面斜視図である。
【図１Ｃ】図１Ｃは、本発明の第１の実施形態の上面斜視図である。
【図２Ａ】図２Ａは、格納位置における、本発明の第１の実施形態の側面図である。
【図２Ｂ】図２Ｂは、展開位置における、本発明の第１の実施形態の側面図である。
【図３Ａ】図３Ａは、格納位置における、本発明の第１の実施形態の上面斜視図である。
【図３Ｂ】図３Ｂは、展開位置における、本発明の第１の実施形態の上面斜視図である。
【図４Ａ】図４Ａは、格納位置における、本発明の第１の実施形態の背面図である。
【図４Ｂ】図４Ｂは、展開位置における、本発明の第１の実施形態の背面図である。
【図５Ａ】図５Ａは、格納位置における、本発明の第２の実施形態の背面図である。
【図５Ｂ】図５Ｂは、展開位置における、本発明の第２の実施形態の背面図である。
【図６Ａ】図６Ａは、本発明の第３の実施形態の正面図である。
【図６Ｂ】図６Ｂは、格納位置における、本発明の第３の実施形態の側面図である。
【図６Ｃ】図６Ｃは、展開位置における、本発明の第３の実施形態の側面図である。
【図７】図７は、回転式プラグブレードの拡大図であって、バネ付勢機構を示す。
【図８Ａ】図８Ａは、第１の位置における、本発明の第４の実施形態の背面図である。
【図８Ｂ】図８Ｂは、ブレードを格納位置に伴う、第２の位置における、本発明の第４の実施形態の背面図である。
【図８Ｃ】図８Ｃは、ブレードを展開位置に伴う、第２の位置における、本発明の第４の実施形態の背面図である。
【図９】図９は、展開のために、プラグブレードを解放するための別のシステムの概略図である。
【図１０Ａ】図１０Ａは、ブレードを格納位置に伴う、本発明の第５の実施形態の背面図である。
【図１０Ｂ】図１０Ｂは、ブレードを展開位置に伴う、本発明の第５の実施形態の背面図である。
【図１１Ａ】図１１Ａは、ブレードを格納位置に伴う、本発明の第６の実施形態の背面図である。
【図１１Ｂ】図１１Ｂは、ブレードを展開位置に伴う、本発明の第６の実施形態の背面図である。
【図１２】図１２は、背面ケースが除去され、ブレードがその展開位置に示される、本発明の第１の実施形態の背面の例証である。
【図１３】図１３は、図１２の底面内側ケースに対応する、斜視図である。
【図１４】図１４は、図１２に対応する、斜視図である（ブレードが展開されている）。
【図１５Ａ】図１５Ａは、図１３および１４に対応する、拡大図である。
【図１５Ｂ】図１５Ｂは、図１５Ａに類似するが、デバイスの動作を示すように明確にするために、種々の部品が除去された図である。
【図１６Ａ】図１６Ａは、差込式バッテリ再充電器に組み込まれる、本発明の例証である。
【図１６Ｂ】図１６Ｂは、スマートフォン外部バッテリ充電器に組み込まれる、本発明の例証である。
【図１６Ｃ】図１６Ｃは、ハンドヘルド電子シェーバーに組み込まれる、本発明の例証である。
【発明を実施するための形態】
【００１３】
図１Ａから４Ｂは、本発明の第１の実施形態を示し、充電デバイスは、以下のように、直接、スマートフォンの背面に取着される。スマートフォン１０は、そこに搭載された充電器２０Ａを含む。充電器２０Ａは、プラグユニット３０がその中に配置された筐体２２を備える。プラグユニット３０は、一対の回転可能ブレード３２を有する。ブレード３２は、ブレードの端部が、相互から拡開される、格納位置（図１Ａ、２Ａ、３Ａ、および４Ａに見られるように）から、ブレードの端部が、壁コンセント内に受容されるように位置付けられる、展開位置（図１Ｂ、２Ｂ、３Ｂ、および４Ｂに見られるように）に回転可能である。プラグユニット３０はまた、格納位置から展開位置にブレードを回転させるための機構３４を備える。示されるように、機構３４は、種々の要素から成ることができ、本発明は、任意の特定の実施形態に限定されないことを理解されたい。また、プラグユニット３０とともに含まれるのは、プラグユニット３０のブレード３２を電話１０の内部バッテリに接続する、筐体内の電気回路３６（図１３および１４に示される）である。
【００１４】
図１Ａ、２Ａ、３Ａ、および４Ａから分かるように、ブレード３２は、好ましくは、格納位置にあるとき、同一の平面（または、ほぼ同一の平面）に配置される。図１Ｂ、２Ｂ、３Ｂ、および４Ｂから分かるように、ブレード３２は、展開位置にあるとき、平行平面に配置される。電話１０を再充電する時間になると、ユーザは、単に、ブレード３２をその展開位置に回転させる。好ましくは、これは、方向Ｄｌに、ソケット３９内のスイッチ３８を引き戻すことによって行なわれる。説明されるように、スイッチ３８の本移動は、その格納位置（図１Ａ）からその展開位置（図１Ｂ）に自動的に回転されるように、ブレード３２を解放させるであろう。好ましくは、ブレード３２は、その全進行範囲全体を通して（すなわち、その格納位置から展開位置に）、（反対方向に）回転するように付勢されるであろう。注記：用語「付勢される」とは、本明細書で使用されるように、限定されないが、バネ作用を含む、任意の手段によって、好ましい方向に移動するように、押動、引動、または別様に押勢されることを意味すると理解されることを理解されたい。次いで、電話１０（充電器２０Ａがそこに取着されている）は、単に、再充電のために、標準的ＡＣ壁コンセントに差し込まれる。本配列は、長い電力ケーブルの必要性を回避する。極めて単純に、ユーザは、単に、そのスマートフォンを壁に差し込み、それを再充電する。種々の実施形態では、電話バッテリ自体は、電話１０または充電器２０Ａ内にあってもよい。一好ましい側面では、電話１０は、Ａｐｐｌｅ  ｉＰｈｏｎｅ（登録商標）である。しかしながら、本発明は、スマートフォンの任意の特定のモデルまたはブランドに限定されないことを理解されたい。実際、本明細書に図示されるように、本発明はまた、スマートフォン以外のデバイスを充電するために使用されることができる（例えば、差込式バッテリ再充電器、歯ブラシ、電気シェーバー等）。したがって、サイズ、重量、および空間が、重んじられる、任意の電気デバイスを充電することが理想的である。
【００１５】
本発明は、ブレード３２を格納位置と展開位置との間で移動させるための種々のシステムを提供する。一実施例では、ブレード３２は、バネ（または、別様に）付勢された回転可能部材３３上に搭載されてもよい。したがって、部材３３は、単に、９０度（または、約９０度）回転し、ブレード３２を格納位置と展開位置との間で移動させる。部材３３の移動を起動させるための種々の機構３４が、本明細書に説明される。
【００１６】
種々の好ましい実施形態では、ブレード３２は、一体となって機能する必要があるように、ともに連動される。そのような実施形態では、ユーザは、単に、一方のブレード３２を押下することで、他方のブレード３２を同様に移動させるであろう。本実施形態は、ユーザが、両ブレード３２を下方に保持し、格納位置に押動させる必要がなく、特に便利である。
【００１７】
さらに別の好ましい実施形態では、充電回路は、両ブレード３２が展開されるまで、起動されない。本安全特徴によって、充電回路は、両ブレードが、展開位置にしっかりと位置するまで、オンにされ得る危険がない。
【００１８】
図５Ａおよび５Ｂは、第２の充電器２０Ｂの背面図を示す。図５Ａでは、ブレード３２は、その格納位置に示される。図５Ｂでは、ブレード３２は、その展開位置に示される。充電器２０Ｂは、充電器２０Ａより小さいという利点を有する。充電器２０Ａは、好ましくは、電話１０の底面に差し込まれる。最も好ましくは、充電器２０Ｂは、単に、ｉＰｈｏｎｅ（登録商標）１０の底面の標準的３０ピン電力ケーブルコネクタ１１に差し込まれる。充電器の本第２の実施形態のさらなる利点は、これが、除去されることもでき、標準的電力再充電ケーブルが、代わりに、使用されることもできる（ユーザが両選択肢を所望する場合）ことである。ユーザが行なう必要があるのは、充電器２０Ｂをコネクタ１１から抜き、標準的電力ケーブルの端部をコネクタ１１に挿入することだけである。
【００１９】
図６Ａから６Ｃは、本充電システムの第３の実施形態を示す。充電器２０Ｃは、充電時の電話１０のための「架台」を提供する。具体的には、充電器２０Ｃは、ブレード３２を展開する（前述のような機構を使用して）。電話１０は、標準的３０ピンコネクタ１１内に受容される、電気構成要素２１上に差し込まれる。したがって、電話１０は、単に、充電器２０Ｃによって形成される架台内に着座し、これは、次いで、標準的ＡＣ壁コンセントに差し込まれる。
【００２０】
図７は、例示的付勢機構の拡大図を示し、バネ３５が、ブレード３２を（方向Ｄ２において）その展開位置に押勢する。バネ３５は、電気導体として作用し、それによって、ブレード３２のそれぞれが、非伝導性回転可能要素３３上に搭載されることを可能にする。図７に示されるバネ付勢アプローチは、解放されるまで、単に、ブレード３２を格納位置に保持する、以下に説明される種々の機構と併用されることができる。
【００２１】
例えば、図８Ａから８Ｃは、電話１０の背面上の充電器２０Ａを示す。充電器２０Ａは、可動摺動区画２５を含む。図８Ａでは、スライド２５は、ブレード３２を被覆する（それらをその格納位置に維持する）。次に、スライド２５は、図８Ｂに示される位置に移動され、ブレード３２を露出させる。ブレード３２は、バネ付勢されるため、図８Ｃに示される展開位置に直ぐに回転するであろう。
【００２２】
別のアプローチでは、図９は、２つの回転可能ホイール２６Ａおよび２６Ｂの概略を示す。ホイールが、ホイール２６Ａによって示される位置にあるとき、ブレード３２をその格納位置に維持するであろう。しかしながら、ホイールが、ホイール２６Ｂによって示される位置に回転されると、次いで、ブレード３２を解放し、ブレード３２は、その展開位置に跳開するであろう。
【００２３】
図１０Ａおよび１０Ｂは、本発明の別の実施形態を図示する。本実施形態は、図１Ａから４Ｂのものに類似するが、しかしながら、プラグ３２の配向は、９０度回転されている。本設計の利点は、ｉＰｈｏｎｅ（登録商標）自体が、充電時に回転され、ここでは、壁ソケットに差し込まれるとき、横方向に着座することである。その結果、隣接する第２のＡＣ壁ソケットが、ｉＰｈｏｎｅ（登録商標）によって妨害されず、使用され易い。
【００２４】
図１１Ａおよび１ＩＢは、本発明のさらに別の実施形態を図示する。本実施形態では、プラグ３２は、その格納位置（図１１Ａ）にあるとき、スマートフォン１０の背面に対して平坦になる。次に、プラグは両方とも、上向きに回転され、その展開位置（図１１Ｂ）に移動されると、捻転される。注記：本実施形態では、各回転可能部材３３は、両軸ＲｌおよびＲ２を中心として、９０度回転する。
【００２５】
ブレード３２をその格納位置と展開位置との間で回転させるための他の選択肢もまた、可能であることを理解されたい。例えば、ブレード３２は、付勢される必要はない。代わりに、単に、ホイールまたはレバーを手動で旋回させることによって、回転されてもよい。また、単に、ユーザが、個々に、ブレードを１つずつ把持し、それらを定位置に回転させることによって、手動で回転されてもよい。代替として、ブレードは、一方の移動が他方を移動させるように、ともに連動されることができる（これは、１つのみのブレードが、両ブレードをその格納位置に移動させるために押下される必要があるという利点を有する）。また、本明細書に説明される種々の機構は、ブレード３２をともにまたは個々に回転させるために使用されてもよいことを理解されたい。「下方にクリックして、解放する」付勢選択肢もまた、以下に説明されるように、利用可能である。
【００２６】
図１２は、本発明の実施形態の分解図であって、底面外側ケース５０および底面内側ケース５２から成る、底面を示す。ブレード３６は、その展開位置に示される。
【００２７】
図１３から１５Ｂは、以下のように、ブレードを格納位置から展開位置に展開させるための機構３４のさらなる詳細を示す（明確にするために、外側ケース５０は、除去されている）。機構３４は、スイッチ３８を前方に押動させる、付勢バネ６０を備える。スイッチ３８は、そこから突出する、前方延在部６１を有する。各ブレード３２は、バネ６２（１つのみ、示される）によって、方向Ｄ２に回転するように付勢される。好ましくは、本付勢は、格納位置から展開位置までの全可動範囲を通して生じる。加えて、各ブレード３２は、それに沿って延設されるスロット６４を有する、ローラ６３上に保持される。図１５Ｂに最も明確に見られるように、前方延在部６１は、ブレード３２がその格納位置にあるとき、スロット６４内に受容される。次に、スイッチ３８が、引き戻されると（方向Ｄｌに）、バネ６０は、圧縮され、前方延在部６１は、スロット６４から滑出するであろう。本作用は、ブレード３２を解放させ、バネ６２によって、方向Ｄ２（その完全展開位置）に回転させる。
【００２８】
使用後（すなわち、ブレード３２が、壁コンセントから除去されたとき）、ユーザは、単に、ブレード３２をその格納位置に押下する。本時点において、付勢バネ６０は、前方延在部６１をスロット６４内に戻るように摺動させ、それによって、ブレードをその格納位置に戻して保持するであろう。本システムの特定の利点の１つは、単純な１本の指による押動およびスイッチ３８の摺動のみ、ブレード３２が、自動的に、展開されるために要求されることである。ユーザは、ブレードを把持し、それらを展開するために、引き出す必要はない。したがって、ブレードスロットが、デバイスの側面に送達する必要はない。代わりに、ブレード３２の先端は、その格納位置にあるとき、デバイスの縁から離れて位置付けられることができる。さらに、ユーザの指は、ブレードが展開するにつれて、方向Ｄｌ（すなわち、展開中のブレードから離れる）に移動する。したがって、ブレードが跳開し、ユーザの指に衝打する危険がない。同様に、有利には、本発明では、一方のブレードが、他方の上部に折畳される必要がない。代わりに、それぞれ、その格納位置にあるとき、電話の背面のその独自の浅い受口内に別個に受容されることができる。これは、有利には、全体的デバイスの深度／厚さを最小限にする。
【００２９】
図１６Ａは、差込式バッテリ再充電器１００内に組み込まれる、本発明を示す（図１６Ａ）。
【００３０】
図１６Ｂは、スマートフォンの外部バッテリ充電器１２０に組み込まれる、本発明を示す。具体的には、電話１０は、除去され、外部バッテリ充電器１２０内に載置される、バッテリ／ＳＩＭカード１２５を有し、これは、順に、壁に差し込まれる。
【００３１】
図１６Ｃは、携帯式電気シェーバー１３０に組み込まれる、本発明の例証である。
【図１Ａ】
2014533482.tif 000003
【図１Ｂ】
2014533482.tif 000004
【図１Ｃ】
2014533482.tif 000005
【図２Ａ】
2014533482.tif 000006
【図２Ｂ】
2014533482.tif 000007
【図３Ａ】
2014533482.tif 000008
【図３Ｂ】
2014533482.tif 000009
【図４Ａ】
2014533482.tif 000010
【図４Ｂ】
2014533482.tif 000011
【図５Ａ】
2014533482.tif 000012
【図５Ｂ】
2014533482.tif 000013
【図６Ａ】
2014533482.tif 000014
【図６Ｂ】
2014533482.tif 000015
【図６Ｃ】
2014533482.tif 000016
【図７】
2014533482.tif 000017
【図８Ａ】
2014533482.tif 000018
【図８Ｂ】
2014533482.tif 000019
【図８Ｃ】
2014533482.tif 000020
【図９】
2014533482.tif 000021
【図１０Ａ】
2014533482.tif 000022
【図１０Ｂ】
2014533482.tif 000023
【図１１Ａ】
2014533482.tif 000024
【図１１Ｂ】
2014533482.tif 000025
【図１２】
2014533482.tif 000026
【図１３】
2014533482.tif 000027
【図１４】
2014533482.tif 000028
【図１５Ａ】
2014533482.tif 000029
【図１５Ｂ】
2014533482.tif 000030
【図１６Ａ】
2014533482.tif 000031
【図１６Ｂ】
2014533482.tif 000032
【図１６Ｃ】
2014533482.tif 000033
【国際調査報告】
2014533482.tif 000034